(57)【要約】      （修正有）【課題】住宅に設置されるインターホンシステムに係わり、特に映像データ、音声データおよび、制御データ全てをデジタルデータにて伝送するインターホンシステムを提供する。【解決手段】カメラと通話部を備えたカメラ付玄関子機から呼び出し操作されたとき、カメラの映像を表示するモニタ部と通話部を備えたモニタ付居室親機または、通話部を備えたモニタ無し居室親機で応答操作を行うインターホンにおいて、カメラ付玄関子機には、モニタ付居室親機またはモニタ無し居室親機と双方向通話するための映像信号と音声信号を１６ＱＡＭ変復調する子機１６ＱＡＭ伝送部を備え、モニタ無し居室親機には、カメラ付玄関子機から１６ＱＡＭ変調された変調信号の内、音声信号をＩ信号、またはＱ信号でＢＰＳＫ変復調する親機ＢＰＳＫ伝送部を備えている。【選択図】図１
2011035481.tif 000002
【特許請求の範囲】
【請求項１】
カメラ（１０１）と通話部（１０３）を備えたカメラ付玄関子機（１００）から呼び出し操作されたとき、前記カメラの映像を表示するモニタ（２０１）と通話部（２０３）を備えたモニタ付居室親機（２００）または、通話部（２１２）を備えたモニタ無し居室親機（２１０）で応答操作を行うインターホンにおいて、
前記カメラ付玄関子機には、前記モニタ付居室親機または前記モニタ無し居室親機と双方向通話するための映像信号と音声信号を１６ＱＡＭ変復調する子機１６ＱＡＭ伝送部（１０５）を備え、
前記モニタ無し居室親機には、前記カメラ付玄関子機から１６ＱＡＭ変調された変調信号の内、音声信号をＩ信号、またはＱ信号でＢＰＳＫ変復調する親機ＢＰＳＫ伝送部（２１４）を備えたことを特徴とするインターホン。
【請求項２】
カメラ（１０１）と通話部（１０３）を備えたカメラ付玄関子機（１００）または、通話部（１１２）を備えたカメラ無し玄関子機（１１０）から呼び出し操作されたとき、前記カメラの映像を表示するモニタ（２０１）と通話部（２０３）を備えたモニタ付居室親機（２００）で応答操作を行うインターホンにおいて、
前記カメラ無し玄関子機には、前記モニタ付居室親機と双方向通話するための音声信号をＢＰＳＫ変復調する子機ＢＰＳＫ伝送部（１１４）を備え、
前記モニタ付居室親機には、前記カメラ付玄関子機でＢＰＳＫ変復調された音声信号からをＩ信号、またはＱ信号で１６ＱＡＭ変復調する親機１６ＱＡＭ伝送部（２０５）を備えたことを特徴とするインターホン。
【発明の詳細な説明】
【技術分野】
【０００１】
本発明は、住宅に設置されるインターホンシステムに係わり、特に映像データ、音声データおよび、制御データ全てをデジタルデータにて伝送するインターホンシステムに関する。
【背景技術】
【０００２】
従来から、映像信号をデジタル伝送、音声信号をアナログ信号で伝送しているインターホンシステムが知られている。例えば、特許文献１には、映像信号はデジタル回線を介すためにデジタル信号で伝送し、音声信号は電話回線を介すためにアナログ信号で伝送している。
【先行技術文献】
【特許文献】
【０００３】
【特許文献１】特開２００２−２６０１３５
【発明の開示】
【発明が解決しようとする課題】
【０００４】
しかしながら、上記のインターホンシステムでは、映像信号用のデジタル伝送部と、音声信号用のアナログ伝送部と、制御データ用の伝送部がそれぞれ必要となるため、回路規模が大きくなり、且つ複雑となってしまっていた。また、映像信号、音声信号共にデジタル処理をさせると、映像信号を取り扱わないカメラ無し玄関子機、モニタ無し居室親機の伝送部分のコストが高くなってしまう。
【０００５】
本発明はこのような問題点に鑑み、映像信号、音声信号をデジタル伝送すると共に、映像信号を取り扱わない、カメラ無し玄関子機、モニタ無し居室親機もコストを抑えつつデジタル処理を行うことができるインターホンシステムを提供することを目的としている。
【課題を解決するための手段】
【０００６】
上記課題を解決するために、請求項１に記載の発明は、カメラと通話部を備えたカメラ付玄関子機から呼び出し操作されたとき、カメラの映像を表示するモニタ部と通話部を備えたモニタ付居室親機または、通話部を備えたモニタ無し居室親機で応答操作を行うインターホンにおいて、カメラ付玄関子機には、モニタ付居室親機またはモニタ無し居室親機と双方向通話するための映像信号と音声信号を１６ＱＡＭ変復調する子機１６ＱＡＭ伝送部を備え、モニタ無し居室親機には、カメラ付玄関子機から１６ＱＡＭ変調された変調信号の内、音声信号をＩ信号、またはＱ信号でＢＰＳＫ変復調する親機ＢＰＳＫ伝送部を備えたことを特徴とする。
また、請求項２の発明は、カメラと通話部を備えたカメラ付玄関子機または、通話部を備えたカメラ無し玄関子機から呼び出し操作されたとき、カメラの映像を表示するモニタ部と通話部を備えたモニタ付居室親機で応答操作を行うインターホンにおいて、カメラ無し玄関子機には、モニタ付居室親機と双方向通話するための音声信号をＢＰＳＫ変復調する子機ＢＰＳＫ伝送部を備え、モニタ付居室親機には、カメラ付玄関子機でＢＰＳＫ変復調された音声信号からをＩ信号、またはＱ信号で１６ＱＡＭ変復調する親機１６ＱＡＭ伝送部を備えたことを特徴とする。
【発明の効果】
【０００７】
請求項１の発明によればモニタ無し居室親機では、１６ＱＡＭ変調よりもコストを押さえたＢＰＳＫ変復調することで双方向通話をすることができる。
請求項２の発明によれば、カメラ無し玄関子機では、１６ＱＡＭ変調よりもコストを押さえたＢＰＳＫ変復調することで双方向通話することができる。
【図面の簡単な説明】
【０００８】
【図１】本発明に係る実施形態であるインターホンシステムのブロック図である。
【図２】本発明に係る実施形態であるインターホンシステムの１６ＱＡＭの信号星座図である。
【図３】本発明に係る実施形態であるインターホンシステムの送信データ列である。
【発明を実施するための形態】
【０００９】
以下、本発明によるインターホン装置を適用した好ましい形態の実施例について、図を参照して説明する。図１は本発明のブロック図であり、居室の玄関に設置され、居住者を呼び出すためのカメラ付玄関子機１００、カメラ無し玄関子機１１０と、カメラ付玄関子機１００または、カメラ無し玄関子機１１０からの呼び出しに応答するためのモニタ付居室親機２１０、モニタ無し居室親機２１０で構成されている。
カメラ付玄関子機１００は、玄関先の映像を撮像するためのカメラ１０１と、モニタ付居室親機２００またはモニタ無し居室親機２１０を呼び出すための呼出信号を送信する呼出ボタン１０４と、モニタ付居室親機２００及びモニタ無し居室親機２１０と通話するための通話部１０３と、カメラ付玄関子機１００を制御するＣＰＵ１０２と、映像信号、音声信号、呼出信号等の制御信号を１６ＱＡＭ変復調する子機１６ＱＡＭ伝送部１０５で構成されている。
カメラ無し玄関子機１１０は、モニタ付居室親機２００またはモニタ無し居室親機２１０を呼び出すための呼出信号を送信する呼出ボタン１１３と、モニタ付居室親機２００及びモニタ無し居室親機２１０と通話するための通話部１１２と、カメラ無し玄関子機１１０を制御するＣＰＵ１１１と、音声信号、呼出信号等の制御信号をＢＰＳＫ変復調する子機ＢＰＳＫ伝送部１１４で構成されている。
モニタ付居室親機２００は、カメラ１０１で撮像された映像を出力するモニタ２０１と、カメラ付玄関子機１００またはカメラ無し玄関子機１１０と通話するための通話信号を送信する通話ボタン２０４と、カメラ付玄関子機１００またはカメラ無し玄関子機１１０と通話するための通話部２０３と、モニタ付居室親機２００を制御するためのＣＰＵ２０２と、映像信号、音声信号、通話信号等の制御信号を１６ＱＡＭ変復調する親機１６ＱＡＭ伝送部２０５で構成されている。
モニタ無し居室親機２１０は、カメラ付玄関子機１００またはカメラ無し玄関子機１１０と通話するための通話信号を送信する通話ボタン２１３と、カメラ付玄関子機１００またはカメラ無し玄関子機１１０と通話するための通話部２１３と、モニタ付居室親機２１０を制御するためのＣＰＵ２１１と、音声信号、通話信号等の制御信号を１６ＱＡＭ変復調する親機１６ＱＡＭ伝送部２１４で構成されている。
【００１０】
このようなインターホンにおいて動作説明を行う。尚、カメラ付玄関子機１００またはカメラ無し玄関子機１１０からの呼び出し、及び呼び出しに対するモニタ付居室親機２００またはモニタ無し居室親機２１０からの応答動作の説明は本発明の要部ではないので省略し、映像信号、音声信号を１６ＱＡＭ変復調、ＢＰＳＫ変復調する動作の説明を行う。
まず、カメラ付玄関子機１００からモニタ付居室親機２００、モニタ無し居室親機２１０に１６ＱＡＭデータを送信する時の動作を図２、図３を用いて説明する。
カメラ１０１で撮像した映像信号及び、通話部１０３からの音声信号は、子機１６ＱＡＭ伝送部１０５にて変調された３ビットの映像データ、１ビットの音声データを、モニタ付居室親機２００またはモニタ無し居室親機２１０に伝送する。例えば、親機１６ＱＡＭ伝送部２０５、子機ＢＰＳＫ伝送部２０４にて、Ｉ成分を音声データとして変復調するように決めておく。すると、子機１６ＱＡＭ伝送部１０５からは図２の１６ＱＡＭの信号星座図のように、4ビットの内3ビット目がＩ成分となる。従って、データの配列は、図３のように、映像データ２ビット、音声データ１ビット、映像データ１ビットの配列を１シンボルとして、子機１６ＱＡＭ伝送部１０５から、親機１６ＱＡＭ伝送部２０４、親機ＢＰＳＫ伝送部２１３に送信する。親機１６ＱＡＭ伝送部２０４ではＩ成分を音声データ、残りのデータを映像データとして復調する事ができる。親機ＢＰＳＫ伝送部２１３にも１６ＱＡＭのデータ信号が送信されるが、Ｉ成分のみをＢＰＳＫ変復調をすることによって、音声データを復調することができる。モニタ付居室親機２００、モニタ無し居室親機２１０からの音声信号は、親機１６ＱＡＭ伝送部２０５、親機ＢＰＳＫ伝送部２１４にてＩ成分でＢＰＳＫ変調され、カメラ付玄関子機１００に送信することで、双方向通話を行うことができる。
【００１１】
次に、カメラ無し玄関子機１１０からモニタ付居室親機２００、モニタ無し居室親機２１０にＢＰＳＫデータを送信する時の動作を図３を用いて説明する。
通話部１０３からの音声信号は、子機ＢＰＳＫ伝送部１１４にて、１ビットの音声信号をモニタ付居室親機２００またはモニタ無し居室親機２１０に伝送する。カメラ無し玄関子機１１０は映像信号を送信しないため、音声データのみを図３のようにＩ成分の正負を判定データとして子機ＢＰＳＫ伝送部１１４にてＢＰＳＫ変復調処理を行う。親機１６ＱＡＭ伝送部２０４、子機ＢＰＳＫ伝送部２１３は、Ｉ成分のみにＢＰＳＫ変調された信号を復調することができる。モニタ付居室親機２００、モニタ無し居室親機２１０からの音声信号は、親機１６ＱＡＭ伝送部２０５、親機ＢＰＳＫ伝送部２１４にてＩ成分でＢＰＳＫ変調され、カメラ付玄関子機１００に送信することで、双方向通話を行うことができる。
【符号の説明】
【００１２】
１００・・・  カメラ付玄関子機
１０１・・・  カメラ
１０３・・・  通話部
１０５・・・  子機１６ＱＡＭ伝送部
２００・・・ モニタ付居室親機
２０１・・・ モニタ
２０３・・・ 通話部
２１０・・・ モニタ無し居室親機
２１２・・・ 通話部
２１４・・・ 親機ＢＰＳＫ伝送部
【図１】
2011035481.tif 000003
【図２】
2011035481.tif 000004
【図３】
2011035481.tif 000005